(57)【要約】【課題】エンドプレートがロータに対して相対回転しないようにする。【解決手段】エンドプレート２４，ロータコア２２をロータシャフト３０に嵌めて（外周側に配置し）、エンドプレート２５を複数の孔２６にロータシャフト３０の取付部３３の複数の突出部３７が挿通するようロータシャフト３０に嵌めて、ロータシャフト３０の取付部３３の複数の突出部３７を径方向外側にかしめる、ことによってロータコア２２およびエンドプレート２４，２５をロータシャフト３０に取り付ける。【選択図】図３
2014054105.tif 000002
【特許請求の範囲】
【請求項１】
中空円筒状のロータコアと円環状で前記ロータコアの軸方向の少なくとも一方側に配置されるエンドプレートとを有する中空部材をロータシャフトに取り付ける中空部材の取付構造であって、
前記エンドプレートは、周方向に並ぶ複数の孔が形成されてなり、
前記ロータシャフトは、周方向に並びそれぞれ軸方向に突出する複数の突出部が形成されてなり、
前記ロータコアを前記ロータシャフトの外周側に配置し、前記エンドプレートを前記ロータシャフトの外周側で且つ該エンドプレートの複数の孔に前記ロータシャフトの複数の突出部が挿通するよう配置し、前記複数の突出部を径方向外側にかしめることによって、前記中空部材を前記ロータシャフトに取り付ける、
中空部材の取付構造。
【発明の詳細な説明】
【技術分野】
【０００１】
本発明は、中空部材の取付構造に関し、詳しくは、中空円筒状のロータコアと円環状でロータコアの軸方向の少なくとも一方側に配置されるエンドプレートとを有する中空部材をロータシャフトに取り付ける中空部材の取付構造する。
【背景技術】
【０００２】
従来、ステータと、ロータコアとその軸方向の少なくとも一方側に配置されたエンドプレートとロータコアおよびエンドプレートを貫通するロータシャフトとを有するロータと、を備え、ロータシャフトは、その周方向に間隔を空けた複数の位置にカシメ加工によって形成されたカシメ部を有し、エンドプレートは、そのカシメ部によってロータシャフトに固定されると共にカシメ部に対して周方向に係合する肉盛部を有する、回転電機が提案されている（例えば、特許文献１参照）。この回転電機では、こうした構成とすることにより、エンドプレートの回転ズレを防止している。
【先行技術文献】
【特許文献】
【０００３】
【特許文献１】特開２０１０−１０４２０８号公報
【発明の概要】
【発明が解決しようとする課題】
【０００４】
ロータコアとエンドプレートとを有する中空部材をロータシャフトに取り付ける中空部材の取付構造では、エンドプレートの回転ズレを防止することが課題の一つとされている。そして、同一の機能を有するが異なる構成を考案することは、技術の向上のために有用である。
【０００５】
本発明の中空部材の取付構造は、エンドプレートがロータシャフトに対して相対回転しないようにすることを主目的とする。
【課題を解決するための手段】
【０００６】
本発明の中空部材の取付構造は、上述の主目的を達成するために以下の手段を採った。
【０００７】
本発明の中空部材の取付構造は、
中空円筒状のロータコアと円環状で前記ロータコアの軸方向の少なくとも一方側に配置されるエンドプレートとを有する中空部材をロータシャフトに取り付ける中空部材の取付構造であって、
前記エンドプレートは、周方向に並ぶ複数の孔が形成されてなり、
前記ロータシャフトは、周方向に並びそれぞれ軸方向に突出する複数の突出部が形成されてなり、
前記ロータコアを前記ロータシャフトの外周側に配置し、前記エンドプレートを前記ロータシャフトの外周側で且つ該エンドプレートの複数の孔に前記ロータシャフトの複数の突出部が挿通するよう配置し、前記複数の突出部を径方向外側にかしめることによって、前記中空部材を前記ロータシャフトに取り付ける、
ことを要旨とする。
【０００８】
この本発明の中空部材の取付構造では、ロータコアをロータシャフトの外周側に配置し、エンドプレートをロータシャフトの外周側で且つエンドプレートの複数の孔にロータシャフトの複数の突出部が挿通するよう配置し、複数の突出部を径方向外側にかしめることによって、中空部材をロータシャフトに取り付ける。これにより、エンドプレートがロータシャフトに対して相対回転するのを防止することができる。
【図面の簡単な説明】
【０００９】
【図１】本発明の一実施例としての中空部材の取付構造を適用したロータ２０の断面の一例を示す断面図である。
【図２】図１のロータ２０を右側から見た側面図（外観図）である。
【図３】ロータコア２２およびエンドプレート２４，２５をロータシャフト３０に取り付ける際の様子を示す説明図である。
【発明を実施するための形態】
【００１０】
次に、本発明を実施するための形態を実施例を用いて説明する。
【実施例】
【００１１】
図１は、本発明の一実施例としての中空部材の取付構造を適用したロータ２０の断面の一例を示す断面図であり、図２は、図１のロータ２０を右側から見た側面図（外観図）である。なお、この中空部材の取付構造を適用したロータ２０は、図示しないステータと共に、モータとして用いられる。
【００１２】
ロータ２０は、図１に示すように、無方向性電磁時鋼板を打ち抜いて形成した円環状のロータ部材を複数積層してなる中空円筒状のロータコア２２と、ロータコア２２の複数のスロットにそれぞれ嵌挿される永久磁石２３と、ロータコア２２や永久磁石２３の軸方向（ロータ部材の積層方向）の端面を押さえるための円環状のエンドプレート２４，２５と、ロータコア２２およびエンドプレート２４，２５が取り付けられるロータシャフト３０と、を備える。
【００１３】
エンドプレート２５は、図１に示すように、内径がロータシャフト３０の取付部３３の外径より小さく形成されており、図２に示すように、周方向に複数（図２では８個）の孔２６が形成されている。この複数の孔２６は、図１に示すように、径方向内側の面については軸方向に見て中心軸からの距離が一定となり、径方向外側の面についてはロータコア２２側（図１の左側）から反対側（図１の右側）に向けて中心軸からの距離が大きくなるよう形成されている。
【００１４】
ロータシャフト３０は、図１に示すように、動力を入出力するための中空円筒状の入出力部３１と、この入出力部３１に比して大きな径の中空円筒状の取付部３３と、が連結部３２によって連結されて一体に形成されている。取付部３３は、エンドプレート２４におけるロータコア２２側とは反対側の面（図１の左側の面）と接する大径部３４と、大径部３４に軸方向で連続すると共にエンドプレート２４の内周面およびロータコア２２におけるエンドプレート２４側の面（図１の左側の面）の内周側領域と接する中径部３５と、中径部３５に軸方向で連続すると共にロータコア２２の内周面に接する小径部３６と、小径部３６に軸方向で連続すると共にエンドプレート２５の複数の孔２６のそれぞれの径方向外側の面に接して径方向外側に突出する複数の突出部３７と、を備える。なお、複数の突出部３７は、図２に示すように、周方向の長さがエンドプレート２５の複数の孔２５の周方向の長さと略同一がそれより若干小さく形成されており、ロータ２０の取付前には、中心軸から径方向内側の面までの距離が中心軸からエンドプレート２５の複数の孔２６の径方向内側の面までの距離と略同一で図１の軸方向右側に突出するよう形成されている（後述の図３（ａ）参照）。
【００１５】
こうして構成された実施例のロータ２０では、エンドプレート２４の内周面の周方向の１箇所に形成された凸部と、ロータシャフト３０の取付部３３の中径部３５の外周面の周方向の１箇所に形成された軸方向の凹部と、が噛み合うようエンドプレート２４がロータシャフト３０に取り付けられることにより、エンドプレート２４がロータシャフト３０に対して一体回転する（相対回転しない）ようになっている。また、ロータコア２２の内周面の周方向の１箇所に形成された凸部と、ロータシャフト３０の取付部３３の小径部３６の外周面の周方向の１箇所に形成された軸方向の凹部と、が噛み合うようロータコア２２がロータシャフト３０に取り付けられることにより、ロータコア２２がロータシャフト３０に対して一体回転する（相対回転しない）ようになっている。さらに、ロータシャフト３０の複数の突出部３７が、エンドプレート２５の複数の孔２６のそれぞれに嵌った状態で径方向外側に突出していることにより、エンドプレート２５がロータシャフト３０に対して一体回転する（相対回転しない）と共にロータコア２２やエンドプレート２４，２５が図１の右側にずれないようになっている。なお、ロータコア２２やエンドプレート２４，２５は、ロータシャフト３０の取付部３３の大径部３４によって、図１の左側にずれないようになっている。
【００１６】
図３は、ロータコア２２およびエンドプレート２４，２５をロータシャフト３０に取り付ける際の様子を示す説明図である。ロータコア２２およびエンドプレート２４，２５をロータシャフト３０に取り付ける際には、まず、図３（ａ）の状態から、エンドプレート２４，ロータコア２２，エンドプレート２５の順に軸方向で当接するようロータシャフト３０に嵌めていき（ロータシャフト３０の外周側に配置していき）、図３（ｂ）の状態にする。このとき、エンドプレート２５については、複数の孔２６にロータシャフト３０の複数の突出部３７が挿通するよう、ロータシャフト３０に嵌める。そして、その状態で、治具を用いてロータシャフト３０の取付部３３の複数の突出部３７を、それぞれの突出部３７の径方向外側の面がエンドプレート２５の対応する孔２６の径方向外側の面に当接し更にこの突出部２７の軸方向の応力によってロータシャフト３０の取付部３３の大径部３４，エンドプレート２５，ロータコア２２，エンドプレート２４間の軸方向の隙間がなくなるよう、径方向外側にかしめる。これにより、エンドプレート２５がロータシャフト３０に対して相対回転しないようにすることができると共に、ロータコア２２やエンドプレート２４，２５が軸方向右側にずれないようにすることができる。例えば、高温でエンドプレート２４に軸方向（左側や右側）から大きな力が作用する状態が継続すると、エンドプレート２４が若干変形する場合があるが、この場合でも、複数の突出部３７の径方向外側の面とエンドプレート２５の複数の孔２６の径方向外側の面との当接が継続していることにより、エンドプレート２５がロータシャフト３０に対して相対回転しないようにすることができると共に、ロータコア２２やエンドプレート２４，２５が軸方向右側にずれないようにすることができる。なお、こうして構成されたロータ２０は、ステータと共にモータとして用いられる。
【００１７】
以上説明した実施例の中空部材の取付構造によれば、エンドプレート２４，ロータコア２２をロータシャフト３０に嵌めて（外周側に配置し）、エンドプレート２５を複数の孔２６にロータシャフト３０の取付部３３の複数の突出部３７が挿通するようロータシャフト３０に嵌めて、ロータシャフト３０の取付部３３の複数の突出部３７を径方向外側にかしめる、ことによってロータコア２２およびエンドプレート２４，２５をロータシャフト３０に取り付けるから、エンドプレート２５がロータシャフト３０に対して相対回転しないようにすることができると共に、ロータコア２２やエンドプレート２４，２５が軸方向にずれないようにすることができる。
【００１８】
実施例の中空部材の取付構造では、軸方向のうち、エンドプレート２４側についてはロータシャフト３０の取付部３３の大径部３４によって軸方向にずれないようにされ、エンドプレート２５側については複数の孔２６に挿通して径方向外側にかしめられるロータシャフト３０の取付部３３の複数の突出部３７によって軸方向にずれないようにされるものとしたが、エンドプレート２４側についても、エンドプレート２５側と同様に、複数の孔に挿通して径方向外側にかしめられるロータシャフト３０の取付部３３の複数の突出部によって軸方向にずれないようにされるものとしてもよい。即ち、ロータシャフト３０の取付部３３については、小径部３６を挟んで軸方向（図１の左右方向）で略対称となるよう形成し、エンドプレート２４については、エンドプレート２５と同様に形成してロータコア２２を挟んで軸方向で略対称となるようロータシャフト３０に取り付けるものとしてもよい。
【００１９】
実施例の主要な要素と課題を解決するための手段の欄に記載した発明の主要な要素との対応関係について説明する。実施例では、ロータシャフト３０が「ロータシャフト」に相当し、ロータコア２２が「ロータコア」に相当し、エンドプレート２５が「エンドプレート」に相当する。
【００２０】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２１】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２２】
本発明は、モータの製造産業などに利用可能である。
【符号の説明】
【００２３】
２０  ロータ、２２  ロータコア、２３  永久磁石、２４  エンドプレート、２５  エンドプレート、２６  孔、２７  突出部、３０  ロータシャフト、３１  入出力部、３２  連結部、３３  取付部、３４  大径部、３５  中径部、３６  小径部、３７  突出部。
【図１】
2014054105.tif 000003
【図２】
2014054105.tif 000004
【図３】
2014054105.tif 000005